(57)【要約】【課題】            ガイドレール内への異物の侵入を阻むことができるガイドレール用異物侵入防止構造を提供する。【解決手段】        開閉体１０の幅方向の端部を開口部へ挿入させて開閉方向へスライドさせるガイドレール２０に、異物侵入防止部材４０を備えるようにしたガイドレール用異物侵入防止構造であって、前記異物侵入防止部材４０は、前記ガイドレール２０の開口部２１の縁に装着されて、前記ガイドレール２０内への異物の侵入を阻むように、ガイドレール２０内へ挿入される開閉体１０に対し、開閉体開閉方向へわたって近接または接触する。【選択図】          図１
2005307683.tif 000002
【特許請求の範囲】
【請求項１】
開閉体の幅方向の端部を開口部へ挿入させて開閉方向へスライドさせるガイドレールに、異物侵入防止部材を備えるようにしたガイドレール用異物侵入防止構造であって、
前記異物侵入防止部材は、前記ガイドレールの開口部の縁に装着されて前記ガイドレール内への異物の侵入を阻むように、前記ガイドレール内へ挿入される前記開閉体に対し、開閉体開閉方向へわたって近接または接触することを特徴とするガイドレール用異物侵入防止構造。
【請求項２】
上記異物侵入防止部材は、上記ガイドレールから開閉体中央方向へ突出するように構成されていることを特徴とする請求項１記載のガイドレール用異物侵入防止構造。
【請求項３】
上記異物侵入防止部材は、上記ガイドレールの外で、開閉体厚さ方向へ外向きに突出する外向き突部を備えていることを特徴とする請求項２記載のガイドレール用異物侵入防止構造。
【請求項４】
上記異物侵入防止部材は、開閉体厚さ方向へ内向きに突出する内向き突部を備えていることを特徴とする請求項２又は３記載のガイドレール用異物侵入防止構造。
【請求項５】
上記異物侵入防止部材は、弾性材料からなり、上記ガイドレールの上記開口部を略閉じるようにして設けられるとともに、上記開口部内へ挿入される上記開閉体に対しては弾性変形して突端側を接触させることを特徴とする請求項１乃至４何れか１項記載のガイドレール用異物侵入防止構造。
【請求項６】
上記異物侵入防止部材は、上記開閉体をその表裏側から挟むようにして少なくとも二つ設けられ、上記ガイドレールの上記開口部を閉じた状態で、これらの突端側同士を接触させるとともに、その接触部分を開閉体中央方向へ突出させていることを特徴とする請求項５記載のガイドレール用異物侵入防止構造。
【請求項７】
上記異物侵入防止部材は、少なくともその突端側が、開閉体開閉方向において複数に分割されていることを特徴とする請求項５又は６記載のガイドレール用異物侵入防止構造。
【請求項８】
上記異物侵入防止部材は、ガイドレールに対し外付け可能に構成されていることを特徴とする請求項１乃至７何れか１項記載のガイドレール用異物侵入防止構造。
【請求項９】
上記異物侵入防止部材には、上記ガイドレールの開口部の縁を覆って上記開閉体と上記ガイドレールとの直接接触を阻む緩衝部が、一体的に備えられていることを特徴とする請求項１乃至８何れか１項記載のガイドレール用異物侵入防止構造。
【発明の詳細な説明】
【技術分野】
【０００１】
本発明は、開閉体を開閉方向へ案内するガイドレールに異物侵入防止部材を装着するようにしたガイドレール用異物侵入防止構造に関し、特にシャッター装置に具備するのに好適なガイドレール用異物侵入防止構造。
【背景技術】
【０００２】
従来、この種の構造には、上下方向へスライドして開閉する開閉体と、該開閉体の幅方向端部を開口部に挿入させて該開閉体を開閉方向へ導くガイドレールとを備えた開閉装置において、ガイドレールの開口部にガイドレール用消音帯を備えるようにしたものがある（例えば、特許文献１参照）。
この消音帯は、ガイドレールにおける開口部の縁に装着され、開閉体が風圧や開閉動作時等の振動により厚さ方向へばたついた際に、開閉体とガイドレールとの直接接触を阻み、そのばたつきに起因する振動や騒音を抑制する。
【０００３】
しかしながら、上記従来技術によれば、開閉体と消音帯との間には隙間が生じるため、その隙間から風圧等により導かれる異物（塵や、埃、木の葉、害虫、雪、水等を含む）がガイドレール内に侵入するおそれがある。また、開閉体が開放されている状態では、ガイドレールの開口部が比較的大きく開放されるため、前記異物がいっそう侵入し易くなる。
そして、ガイドレール内へ前記異物が侵入した場合、例えば、その異物がガイドレール内の障害物感知センサーに付着し、該障害物感知センサーの感知精度が低下したり、ガイドレール内へ侵入した雪や水等が凍結して開閉体の開閉動作に支障をきたしたり、あるいは、ガイドレール内で異物が堆積し開閉体の閉鎖性が低下したり等のおそれがある。
【特許文献１】特開平１１−１７３０３５号公報
【発明の開示】
【発明が解決しようとする課題】
【０００４】
本発明は上記従来事情に鑑みてなされたものであり、その課題とする処は、ガイドレール内への異物の侵入を阻むことができるガイドレール用異物侵入防止構造を提供することにある。
【課題を解決するための手段】
【０００５】
上記課題を解決するために第一の発明は、開閉体の幅方向の端部を開口部へ挿入させて開閉方向へスライドさせるガイドレールに、異物侵入防止部材を備えるようにしたガイドレール用異物侵入防止構造であって、前記異物侵入防止部材は、前記ガイドレールの開口部の縁に装着されて前記ガイドレール内への異物の侵入を阻むように、前記ガイドレール内へ挿入される前記開閉体に対し、開閉体開閉方向へわたって近接または接触することを特徴とする。
【０００６】
本発明のガイドレール用異物侵入防止構造は、開閉装置に適用されるものであり、この開閉装置は、ガイドレール内に挿入され案内されてスライドする開閉体により、空間を仕切るように構成された装置であればよく、この開閉装置には、開閉体が閉動作のみを行うように用いられる態様、開閉体が開動作と閉動作との双方を行うように用いられる態様等を含む。
【０００７】
また、上記開閉体の具体例としては、スラット又はパイプを開閉方向へ複数連設してなる態様や、パネル、シート状物、又はネット状物を開閉方向へ単数もしくは複数連設してなる態様、あるいはスラット、パネル、パイプ、シート状物、ネット状物等を適宜に組み合わせてなる態様等が挙げられる。
そして、この開閉体の動作方向は、上下方向や、水平方向、斜め方向等とすることができる。
【０００８】
また、上記ガイドレールとは、開閉体の幅方向の端部側を囲んで、該開閉体を動作方向へ案内する部材であり、その案内部分の形状が、例えば、横断面略コの字状や、横断面略Ｃ字状、横断面略Ｕ字状、横断面略凹状等の断面形状であって且つ開閉体開閉方向に長尺状な部材である。
また、このガイドレールには、開閉体幅方向に上記開閉体が複数配設され、これら開閉体の内の隣り合う開閉体の間に立設されて、これら隣り合う開閉体の双方を中央側で開閉方向へ案内するもの、例えば所謂中柱タイプのガイドレール等も含む。
【０００９】
また、上記異物侵入防止部材とは、ガイドレールの開口部の縁に装着されて、該ガイドレール内への異物の侵入を阻むように開閉体開閉方向へわたって前記開閉体に近接または接触するように構成されるものであればよい。
この異物侵入防止部材の材質は、特に限定されないが、開閉体に接触した際の衝撃を緩和する観点から、ゴムや軟質合成樹脂材料等の弾性材料とすることが好ましい。
【００１０】
この異物侵入防止部材には、開閉体の表部と裏部との内の一方に近接または接触するようにした態様や、開閉体の表部と裏部との内の双方に近接または接触するようにした態様等を含み、後者の場合、単一の部材により表部と裏部とに近接または接触するように断面略凹状に構成してもよいし、開閉体厚さ方向へ並ぶ複数の部材により表部と裏部とに近接または接触する構成としてもよい。
また、この異物侵入防止部材は、開閉体開閉方向において一体的な単一部材であってもよいし、開閉体開閉方向へ並ぶ複数の部材であってもよい。
【００１１】
また、この異物侵入防止部材は、ガイドレールにおける開閉体開閉方向へわたって部分的に設けられるようにしてもよいし、その略全長にわたって設けられていてもよいが、前者の場合、異物等の集まり易い開閉体閉鎖方向の端部側に配設するのが効果的である。
【００１２】
また、第二の発明では、上記異物侵入防止部材は、上記ガイドレールから開閉体中央方向へ突出するように構成されていることを特徴とする。
【００１３】
また、第三の発明では、上記異物侵入防止部材は、上記ガイドレールの外で、開閉体厚さ方向へ外向きに突出する外向き突部を備えていることを特徴とする。
【００１４】
また、第四の発明では、上記異物侵入防止部材は、開閉体厚さ方向へ内向きに突出する内向き突部を備えていることを特徴とする。
【００１５】
また、第五の発明では、上記異物侵入防止部材は、弾性材料からなり、上記ガイドレールの上記開口部を略閉じるようにして設けられるとともに、上記開口部内へ挿入される上記開閉体に対しては弾性変形して突端側を接触させることを特徴とする。
【００１６】
この第五の発明における異物侵入防止部材は、単一の構成であってもよいし、開閉体厚さ方向へ並ぶ複数の構成であってもよい。
より具体的に説明すれば、前者の場合、ガイドレールの開口部における開閉体厚さ方向に並ぶ両縁の一方に、一端側を止着し、他端側を前記両縁の他方に近接または接触させた態様とすることができる。
また、後者の場合には、ガイドレールの開口部における開閉体厚さ方向に並ぶ両縁の一方と他方とに各々設けられ、これらが互いに近接または接触する態様とすることがきる。
【００１７】
また、第六の発明では、上記異物侵入防止部材は、上記開閉体をその表裏側から挟むようにして少なくとも二つ設けられ、上記ガイドレールの上記開口部を閉じた状態で、これらの突端側同士を接触させるとともに、その接触部分を開閉体中央方向へ突出させていることを特徴とする。
【００１８】
また、第七の発明では、上記異物侵入防止部材は、少なくともその突端側が、開閉体開閉方向において複数に分割されていることを特徴とする。
【００１９】
また、第八の発明では、上記異物侵入防止部材は、ガイドレールに対し外付け可能に構成されていることを特徴とする。
【００２０】
また、第九の発明では、上記異物侵入防止部材には、上記ガイドレールの開口部の縁を覆って上記開閉体と上記ガイドレールとの直接接触を阻む緩衝部が、一体的に備えられていることを特徴とする。
【００２１】
なお、本明細書中において「開閉体厚さ方向」とは、閉鎖状態の開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
また、本明細書中において「開閉体中央方向」とは、開閉体における幅方向の中央部へ向く方向を意味する。
【発明の効果】
【００２２】
本発明は、以上説明したように構成されているので、以下に記載されるような作用効果を奏する。
第一の発明によれば、ガイドレールの開口部からその内部へ侵入しようとする異物（塵や、埃、木の葉、害虫、雪、水等を含む）を、開閉体に対し近接または接触する異物侵入防止部材により阻むことができ、ひいては、ガイドレール内の障害物感知センサーの感知精度や、開閉体の閉鎖動作、閉鎖性等を良好に維持することができる。
【００２３】
更に、第二の発明によれば、風圧や気圧の差等によりガイドレール内へ導かれようとする異物が、ガイドレールの外側で異物侵入防止部材により阻まれることになる。したがって、ガイドレール内への異物の侵入をいっそう効果的に阻むことができる。
【００２４】
更に、第三の発明によれば、風圧や気圧の差等によりガイドレール内へ導かれようとする異物を、外向き突部によって更に効果的に阻むことができる。
【００２５】
更に、第四の発明によれば、異物侵入防止部材と開閉体との隙間や、ガイドレールの開口面積を内向き突部によって小さくできるため、ガイドレール内への異物の侵入を、より効果的に阻むことができる。その上、内向き突部が、開閉体の厚さ方向の振動を抑制する効果も奏する。
【００２６】
更に、第五の発明によれば、開閉体が開放状態の際は、ガイドレールの開口部が異物侵入防止部材により閉じられるため、ガイドレール内への異物の侵入が阻まれる。
また、開閉体が閉鎖状態の際は、異物侵入防止部材が弾性変形してその突端側を開閉体に接触させるため、異物侵入防止部材と開閉体との隙間からガイドレール内への異物の侵入が阻まれる。
【００２７】
更に、第六の発明によれば、開閉体が開放状態の際は、複数の異物侵入防止部材が、突端側同士を接触させて、ガイドレール内への異物の侵入を阻む。この際、複数の異物侵入防止部材の接触部分が開閉体中央方向へ突出しているため、ガイドレール内への異物の侵入を効果的に阻むことができる。
開閉体が閉鎖される際には、前記突端側同士の接触部分が開閉体中央方向へ突出しているため、これら突端側が開閉体中央方向へ弾性変形して開閉体の表裏部に接触する。したがって、各突端側と開閉体との隙間からガイドレール内へ異物が侵入するのを阻むことができる。
【００２８】
更に、第七の発明によれば、侵入防止部材の突端側が複数に分割されているため、例えば開閉体が開閉方向の中途位置にある場合であっても、侵入防止部材の突端側は、複数分割された一部が開閉体と接触し、他の一部がガイドレールの開口部を閉じる。したがって、ガイドレール内へ連通する隙間が生じ難く、ガイドレール内への異物の侵入が、いっそう効果的に阻まれることになる。
【００２９】
更に、第八の発明によれば、異物侵入防止部材の交換等、メンテナンス性を良好にすることができる。しかも、異物侵入防止部材を備えない従来構成の開閉装置であっても、異物侵入防止部材を容易に装着して、ガイドレール内への異物の侵入を阻むことができる。
【００３０】
更に、第九の発明によれば、一つの部材をガイドレールに装着するだけで、ガイドレール内への異物の侵入を防げる上、開閉体とガイドレールとの接触に起因する振動、騒音等を抑制することもできる。
【発明を実施するための最良の形態】
【００３１】
以下、本発明の実施の形態を図面に基づいて説明する。
本実施の形態のガイドレール用異物侵入防止構造は、住宅やビル、倉庫、工場、地下街、トンネル、車両の荷台等の構築・構造物における開口部分や内部に配設され前記開口部分を開閉したり、躯体内部の空間を仕切ったり開放したりする開閉装置に適用した一例を説明する。
【００３２】
開閉装置１は、閉鎖方向の端部側をスライドさせて開閉動作する開閉体１０と、該開閉体１０の幅方向の端部を開口部２１へ挿入させて開閉方向へ案内するガイドレール２０と、開閉体１０よりも閉鎖方向側に存在する障害物を感知する障害物感知部３０と、開口部２１の縁に装着されてガイドレール２０内への異物の侵入を阻む異物侵入防止部材４０とを具備し（図１及び２参照）、開閉体１０の開放方向側に備えられた収納機構（図示せず）によって開閉体１０を繰出したり収納したりするように構成してある。
【００３３】
開閉体１０は、横長略矩形状の金属板を曲げ加工してなる所謂スラットを複数備え、これらスラットを、開閉体開閉方向（図示例によれば上下方向）に隣接するスラット間で回動するように複数接続することで、開閉体開放方向側の収納機構（図示せず）によって繰出し収納可能な開閉体本体１１を構成し、該開閉体本体１１の閉鎖方向端部に開閉体幅方向にわたって座板部材１２を接続している。
【００３４】
また、ガイドレール２０は、例えばアルミ合金材料や、鋼板、他の金属板等の加工によって、断面略コの字状に構成された部材であり、開閉体中央側（図２によれば左方向側）の部分から開閉体１０の幅方向の端部を挿入させる開口部２１を有する。
開口部２１は、ガイドレール２０の開閉体開閉方向へわたって連続的に設けられ、その開閉体厚さ方向の両縁部分を、ガイドレール２０内へ突出させている。
【００３５】
このガイドレール２０は、その開閉体中央側の部分に、着脱部２２を備えている。
この着脱部２２は、本実施の形態の好ましい一例によれば、開閉体厚さ方向において前記開口部２１を境にしたガイドレール２０の片半部側で、開閉体中央側の面を構成しており、例えばねじ止めや、嵌合等の着脱可能な止着手段によって固定されている。
そして、この構成によれば、着脱部２２を外すことで、後述する障害物感知部３０や異物侵入防止部材４０等に対するメンテナンスを容易に行うことができる。
なお、着脱部２２は、開閉装置１の内方側（例えば室内側）と外方側（例えば屋外側）との何れに配置されていてもよいが、防犯性を向上する観点からは、開閉装置１の内方側に配置されているのが好ましい。
【００３６】
そして、上記構成のガイドレール２０内には、障害物感知部３０が配置されている。
この障害物感知部３０は、開閉体１０よりも閉鎖方向側に障害物感知媒体の経路を形成し、該経路中に侵入する障害物を感知するようにした構成であればよく、例えば、障害物感知媒体を放出する放出部を開閉体幅方向の一端側に配置するとともに、その他端側に障害物感知媒体を捕捉する捕捉部を配置し、これら放出部と捕捉部との間に障害物感知媒体の経路を形成するようにした態様や、前記放出部と前記捕捉部との双方を開閉体幅方向の一端側に配置するとともに、その他端側には前記放出部から放出される障害物感知媒体を前記捕捉部へ向けて反射する反射部材（例えば所謂リフレクター等）を配設し、前記放出部及び前記捕捉部と前記反射部材との間に、障害物感知媒体の往復経路を形成するようにした態様等とすることができる。
前記放出部及び／又は前記捕捉部は、ガイドレール２０内で開口部２１側を向くように配置されれば、開閉体１０と一体的に設けられていてもよいし、ガイドレール２０と一体的に設けられていてもよい。
そして、これら放出部及び捕捉部は、障害物感知媒体として赤外線やレーザー光を用いるようにした態様（より具体的には、例えば光電センサーや、レーザー光線センサー等による構成）や、障害物感知媒体としてマイクロ波や、超音波、ミリ波等を用いるようにした態様（より具体的には、例えばレーダー装置等による構成）等とすることができる。
【００３７】
また、上記ガイドレール２０の開口部２１には、その開閉体厚さ方向の両縁部の各々に異物侵入防止部材４０が装着されている。
各異物侵入防止部材４０は、弾性材料（例えば、ゴムや、軟質合成樹脂材料等）からなり、ガイドレール２０から開閉体中央方向（図２における左方向）へ突出する突出部４１と、ガイドレール２０の開口部２１の縁に嵌め合わせられる緩衝部４２とから一体的に構成され、ガイドレール２０の開閉体開閉方向における略全長にわたって設けられている。
【００３８】
前記突出部４１は、ガイドレール２０から開閉体中央方向へ突出して座板部材１２に近接する。
また、前記緩衝部４２は、ガイドレール２０の開閉体中央側（図２における左側）の外面から、開口部２１の縁の内向きの突端部までを覆うことで、開閉体幅方向及び開閉体厚さ方向へ移動しないように嵌合している。
そして、開閉体厚さ方向において、異物侵入防止部材４０の開閉体１０側の部分は、開閉体本体１１の表面又は裏面に近接している。
【００３９】
上記構成の開閉装置１によれば、ガイドレール２０の開口部２１からその内部へ異物が侵入するのを、異物侵入防止部材４０の突出部４１によって阻むことができる。
すなわち、ガイドレール２０の外部において、風圧や気圧の差等により開口部２１方向へ移動する異物は、突出部４１が障壁となるため、突出部４１の突端側を超えて裏側へ回り込むようにしなければ、ガイドレール２０内へ入り込めない。このため、突出部４１によってガイドレール２０内への異物の侵入が阻まれることになる。
【００４０】
しかも、異物侵入防止部材４０は、開閉体１０の閉鎖時、開閉体幅方向におけるガイドレール２０内外にわたって開閉体１０に近接するため、該開閉体１０と開口部２１との隙間からガイドレール２０内へ侵入しようとする異物を効果的に阻む上、開閉体１０が風圧や気圧差、開閉動作等により開閉体厚さ方向へ振動したとしても、その振動する開閉体１０に対し弾性的に接触して、開閉体１０の振動を抑制する。
更に、異物侵入防止部材４０の緩衝部４２がガイドレール２０における開口部２１の縁を覆い包んでいるため、開閉体１０とガイドレール２０との直接接触による騒音等の発生も抑制される。
したがって、ガイドレール２０内に位置する障害物感知部３０の感知精度が異物の付着により低下したり、開閉体１０のばたつきに起因して騒音や振動等が増大したり等するのを防ぐことができる。
【００４１】
次に、本発明に係わるガイドレール用異物侵入防止構造の他例を適用した開閉装置について説明する。なお、以下に説明する開閉装置において、上述した開閉装置１と略同様の構成については、開閉装置１と同一の符号を用いることで、重複する詳細説明を省略する。
【００４２】
図３に要部を示す開閉装置２は、上述した開閉装置１に対し、上記異物侵入防止部材４０を異物侵入防止部材５０に置換した構成とされる。
異物侵入防止部材５０は、上記異物侵入防止部材４０と略同様にして、ガイドレール２０から開閉体中央方向へ突出する突出部５１と、ガイドレール２０の開口部２１の縁を覆う緩衝部５２とを一体的に構成し、更に、突出部５１の突端側には外向き突部５１ａを形成している。
外向き突部５１ａは、開閉体厚さ方向において外向きに（換言すれば開閉体１０から離れる方向に）突出する部位である。
上記構成の開閉装置２によれば、外向き突部５１ａにより、開口部２１からガイドレール２０内へ侵入しようとする異物を、より効果的に阻むことができる。
【００４３】
また、図４に要部を示す開閉装置３は、上述した開閉装置１に対し、上記異物侵入防止部材４０を異物侵入防止部材６０に置換した構成とされる。
異物侵入防止部材６０は、上記異物侵入防止部材４０と略同様にして、ガイドレール２０から開閉体中央方向へ突出する突出部６１と、ガイドレール２０の開口部２１の縁を覆う緩衝部６２とを一体的に構成し、更に、突出部６１の突端側に内向き突部６１ａを形成している。
内向き突部６１ａは、開閉体厚さ方向において内向きに（換言すれば開閉体１０に近接する方向に）突出する部位である。
上記構成の開閉装置３によれば、内向き突部６１ａにより開閉体１０と開口部２１の縁との隙間がいっそう小さくなるため、ガイドレール２０内へ侵入しようとする異物を、より効果的に阻むことができる。その上、内向き突部６１ａにより異物侵入防止部材６０が開閉体１０に対しより近接するため、開閉体１０のばたつきに起因する振動や騒音を、更に抑制することができる。
【００４４】
また、図５に要部を示す開閉装置４は、上述した開閉装置１に対し、上記異物侵入防止部材４０を異物侵入防止部材７０に置換した構成とされる。
異物侵入防止部材７０は、上記異物侵入防止部材４０と略同様にして、ガイドレール２０から開閉体中央方向へ突出する突出部７１と、ガイドレール２０の開口部２１の縁を覆う緩衝部７２とを一体的に構成し、更に、緩衝部７２には弾性突部７２ａを形成している。
弾性突部７２ａは、開閉体１０へ向かって突出し、開閉体１０に対し弾性的に近接又は接触するように構成されている。
上記構成の開閉装置４によれば、弾性突部７２ａにより開閉体１０と開口部２１の縁との隙間が殆どなくなるため、ガイドレール２０内へ侵入しようとする異物を、より効果的に阻むことができる。その上、開閉体１０が厚さ方向へ振動した際には、その開閉体１０に対し弾性突部７２ａが弾性的に撓んで接触するため、開閉体１０のばたつきに起因する振動や騒音を、更に効果的に抑制することができる。
なお、図示例によれば、弾性突部７２ａは、異物侵入防止部材７０におけるガイドレール底面側に配置されているが、同異物侵入防止部材７０における突出部７１の突端側や、同異物侵入防止部材７０における開閉体幅方向の中途位置等に配置してもよい。
【００４５】
また、図６に要部を示す開閉装置５は、上述した開閉装置１に対し、上記異物侵入防止部材４０を、異物侵入防止部材８１及び緩衝部材８２の二部材に置換した構成とされる。
異物侵入防止部材８１は、ガイドレール２０から開閉体中央方向へ突出する突出部８１ａと、ガイドレール２０の開閉体中央方向側の外面に止着される止着部８１ｂとからなる。止着部８１ｂは、ねじ止め、嵌合等の着脱可能な止着手段によりガイドレール２０に止着されように構成されている。
また、緩衝部材８２は、ガイドレール２０の開口部２１の縁を覆うとともに、ガイドレール２０に対し着脱可能に嵌合するように構成されている。
上記構成の開閉装置５によれば、上述した開閉装置１と略同様の作用効果を奏するのは勿論のこと、異物侵入防止部材８１と緩衝部材８２とをそれぞれ個別に着脱交換でき、しかも、既設のガイドレールに対しても容易に異物侵入防止部材８１や緩衝部材８２を装着することができる。
【００４６】
また、図７に要部を示す開閉装置６は、上述した開閉装置１に対し、上記異物侵入防止部材４０を異物侵入防止部材９０に置換した構成とされる。
異物侵入防止部材９０は、ガイドレール２０における開口部２１の縁を覆うようにして嵌合される嵌合部９１と、該嵌合部９１から開閉体１０の表面又は裏面へ向かって突出するブラシ部９２とから一体的に構成され、ガイドレール２０内に挿入された際の開閉体１０をその表裏側から挟むようにして（図７（ｂ）参照）少なくとも二つ設けられる。
各異物侵入防止部材９０のブラシ部９２は、弾性的に撓み可能な材料（例えば合成樹脂材料等）からなる多数の毛状体によって構成され、ガイドレール２０内に開閉体１０が挿入されていない状態（図７（ａ）の状態）では、その突端側側を他方の異物侵入防止部材９０のブラシ部９２の突端側に近接または接触させている。
【００４７】
この開閉装置６によれば、開閉体１０が開放されている状態（図７（ａ）の状態）では、開閉体厚さ方向に並ぶ二つの異物侵入防止部材９０がブラシ部９２同士を近接又は接触させるため、ガイドレール２０の開口部２１が略閉鎖されて、ガイドレール２０内への異物の侵入が抑制される。
また、開閉体１０が閉鎖されている状態（図７（ｂ）の状態）では、各異物侵入防止部材９０のブラシ部９２が弾性変形して開閉体１０の表面又は裏面に接触するため、開閉体１０と開口部２１との間の隙間からガイドレール２０内へ異物が侵入するのを防げる上、ブラシ部９２の弾性により開閉体１０のバタツキを抑制することもできる。
【００４８】
しかも、上記開閉装置６によれば、ブラシ部９２が開閉体開閉方向において多数に分割された構造（具体的には開閉体開閉方向にわたる多数の毛状体からなる構造）のため、例えば開閉体１０が開閉途中位置にある場合であっても、開閉体開閉方向において、開閉体１０がガイドレール２０内に挿入されている部位と、開閉体１０がガイドレール２０内に挿入されていない部位との境目近傍に、ガイドレール２０内へ貫通する隙間を生じにくい。
すなわち、仮にブラシ部９２が開閉体開閉方向へわたって連続する弾性板状の部材である場合、開閉体１０との接触により弾性変形した部位（開閉体１０がガイドレール２０内に挿入されている部位）により、弾性変形していない部位（開閉体１０がガイドレール２０内に挿入されていない部位）が引っ張られて、これら部位の境目近傍に、ガイドレール２０内へ貫通する隙間が生じてしまうが、開閉装置６によれば前記隙間を小さくすることができる。
【００４９】
また、図８及び図９（ａ）（ｂ）に要部を示す開閉装置７は、上述した開閉装置１に対し、上記異物侵入防止部材４０を異物侵入防止部材１００に置換した構成とされる。
異物侵入防止部材１００は、弾性材料からなり、ガイドレール２０外面から開閉体中央方向へ若干突出するとともに開閉体開閉方向へわたる突出部１１０と、開口部２１の縁を覆うようにして嵌合される嵌合部１２０とから一体的に構成され、開口部２１の両縁の各々に装着されている。
前記突出部１１０は、その突端側が、開閉体開閉方向にわたって所定間隔置きに配置された複数の切込み１１０ａにより、複数に分割されている。
そして、各突出部１１０は、ガイドレール２０内に開閉体１０が挿入されていない状態で、その突端を、ガイドレール２０外面よりも開閉体中央方向へ若干突出させて、他方の突出部１１０の突端に近接又は接触させる。
上記開閉装置７によれば、開閉体１０がガイドレール２０内に挿入されていない状態（図９（ａ）に示す状態）では、両突出部１１０，１１０の突端同士が近接又は接触するため、ガイドレール２０内への異物の侵入が阻まれる。
また、開閉体１０がガイドレール２０内に挿入されていない状態（図９（ｂ）に示す状態）では、両突出部１１０，１１０の各々が弾性的に変形して開閉体１０の表面又は裏面に接触するため、開閉体１０と開口部２１との間からガイドレール２０内へ侵入する異物が阻まれるとともに、開閉体１０の厚さ方向へのばたつきが抑制される。
なお、両突出部１１０，１１０は若干開閉体中央方向へ突出しているため、これら突出部１１０，１１０間に開閉体開放方向側から開閉体１０が挿入される際、各突出部１１０は、開閉体中央方向へ更に突出するように変形する。したがって、突出部１１０の突出方向が開閉体開閉方向において部分的に逆になる（ガイドレール２０内側へ向く）ようなことがなく、ガイドレール２０内への異物の侵入を効果的に阻むことができる上、外観上の体裁も良好である。
【００５０】
しかも、開閉装置７によれば、突出部１１０の突端側が開閉体開閉方向において複数に分割されているため、例えば開閉体１０が開閉途中位置にある場合（例えば図８に示す状態）であったとしても、上述した開閉装置６の作用と略同様に、開閉体開閉方向において、開閉体１０がガイドレール２０内に挿入されている部位（図８における上側の部位）と、開閉体１０がガイドレール２０内に挿入されていない部位（図８における下側の部位）との境目近傍ｘに、ガイドレール２０内へ貫通する隙間を生じ難く、このことによっても、ガイドレール２０内への異物の侵入が阻まれる。
【００５１】
なお、上記各開閉装置における収納機構（図示せず）については、詳細な説明を省いたが、この収納機構は、開閉体１０を電動や手動等によって巻き取ったり繰出したりする態様、あるいは、開閉体１０を巻き取ることなく開閉体１０の開放方向側に収納したり該開放方向側から繰出したりする態様等とすることができる。
【００５２】
また、上述した開閉装置２や，開閉装置３，開閉装置４等（図３乃至５参照）は、開閉装置１に対して、外向き突部５１ａと内向き突部６１ａと弾性突部７２ａとの内の何れか一つを備えた構成としているが、これらの部位５１ａ，６１ａ，７２ａの内の二以上の部位を備えた構成とすることも可能である。
また、開閉装置５や、開閉装置６、開閉装置７（図６乃至８参照）に対して、外向き突部５１ａや、内向き突部６１ａ、弾性突部７２ａ等を適宜に備えた構成とすることも可能である。
【００５３】
また、上記開閉装置６及び開閉装置７（図７乃至９参照）によれば、異物侵入防止部材９０や異物侵入防止部材１００によってガイドレール２０の開口部２１を略閉鎖するように構成してあるため、異物侵入防止部材９０や異物侵入防止部材１００は、ガイドレール２０内の障害物感知部３０による障害物感知媒体（例えば光）を透過可能な材料（例えば透明材料）から形成する。
また、上記開閉装置６及び開閉装置７において、異物侵入防止部材９０や異物侵入防止部材１００を、障害物感知媒体（例えば光）を透過不能な材料から形成する場合には、ガイドレール２０内に障害物感知部３０を備えず、必要に応じて、ガイドレール２０外に、接触式及び／又は非接触式の障害物感知部（図示せず）を具備すればよい。
【図面の簡単な説明】
【００５４】
【図１】本発明に係わるガイドレール用異物侵入防止構造の一例を備えた開閉装置の要部斜視図。
【図２】同開閉装置における要部断面図。
【図３】本発明に係わるガイドレール用異物侵入防止構造の他例を備えた開閉装置の要部断面図。
【図４】本発明に係わるガイドレール用異物侵入防止構造の他例を備えた開閉装置の要部断面図。
【図５】本発明に係わるガイドレール用異物侵入防止構造の他例を備えた開閉装置の要部断面図。
【図６】本発明に係わるガイドレール用異物侵入防止構造の他例を備えた開閉装置の要部断面図。
【図７】本発明に係わるガイドレール用異物侵入防止構造の他例を備えた開閉装置の要部断面図であり、（ａ）は開閉体がガイドレール内に挿入されていない部分を示し、（ｂ）は開閉体がガイドレール内に挿入されている部分を示す。
【図８】本発明に係わるガイドレール用異物侵入防止構造の他例を備えた開閉装置の要部斜視図。
【図９】同開閉装置の要部断面図であり、（ａ）は開閉体がガイドレール内に挿入されていない部分を示し、（ｂ）は開閉体がガイドレール内に挿入されている部分を示す。
【符号の説明】
【００５５】
１，２，３，４，５，６，７：開閉装置
１０：開閉体
２０：ガイドレール
２１：開口部
４０．５０，６０，７０，８１，９０，１００：異物侵入防止部材
４１，５１，６１，７１，８１ａ，１１０：突出部
４２，５２，６２，７２：緩衝部
５１ａ：外向き突部
６１ａ：内向き突部
７２ａ：弾性突部
【図１】
2005307683.tif 000003
【図２】
2005307683.tif 000004
【図３】
2005307683.tif 000005
【図４】
2005307683.tif 000006
【図５】
2005307683.tif 000007
【図６】
2005307683.tif 000008
【図７】
2005307683.tif 000009
【図８】
2005307683.tif 000010
【図９】
2005307683.tif 000011